(57)【要約】【課題】    扉の幅寸法が異なってもアームの角度調整が不要であって且つ、先閉まり側の扉を閉めた状態で後閉まり側の扉のみを開閉させた場合に、衝突音や接触音及び扉の傷つきを抑制して良好な外観も得られる閉扉順位調整装置を提供する。【解決手段】  両アーム２，３がリンクロッド４で連結されて同じ方向に揺動し、第二のアーム３に当接して該第二のアーム３を突出位置にロックするロック部材５０をリンクロッド４に備え、第一のアーム２が突出位置から戻り位置に戻る動作と連動してロック部材５０が第二のアーム３から離間して第二のアーム３のロックを解除する。【選択図】  図１
2009167619.tif 000002
【特許請求の範囲】
【請求項１】
扉枠に取り付けられて、上下方向の軸線周りに回動すると共に閉扉方向に付勢された観音開き式扉の閉扉順位を調整する閉扉順位調整装置において、
先閉まり側の扉の後面に当接できるように上下方向の軸線まわりに揺動可能に設けられ、扉枠から所定角度前方に回動した突出位置と扉枠側に戻った戻り位置との間を揺動する第一のアームと、後閉まり側の扉の後面に当接できるように上下方向の軸線まわりに揺動可能に設けられ、扉枠から所定角度前方に回動した突出位置と扉枠側に戻った戻り位置との間を揺動する第二のアームと、第一のアームと第二のアームが連動して同じ方向に揺動するように両アームを連結するリンクロッドと、前記第一のアームを直接的又は間接的に突出側に付勢するアーム付勢手段と、第二のアームに当接して該第二のアームを突出位置にロックするロック部材とを備え、第一のアームが突出位置から戻り位置に戻る動作と連動してロック部材が第二のアームから離間して第二のアームのロックを解除するように構成されていることを特徴とする閉扉順位調整装置。
【請求項２】
ロック部材がリンクロッドに装着されてリンクロッドと共に移動することにより、第一のアームが突出位置に位置するとロック部材は第二のアームをロックするロック位置となり且つ第一のアームが戻り位置に戻るとロック部材は第二のアームのロックを解除するロック解除位置となる請求項１記載の閉扉順位調整装置。
【請求項３】
第二のアームには被係止部が設けられ、ロック部材の第二のアーム側には第二のアームをロックするために前記被係止部を係止する係止部が設けられている請求項２記載の閉扉順位調整装置。
【請求項４】
第二のアームとリンクロッドの回動連結箇所において、第二のアームとリンクロッドの一方にはリンクロッドの長手方向に伸びる長孔が設けられ他方には該長孔内を移動可能な突起が設けられている請求項３記載の閉扉順位調整装置。
【請求項５】
ロック部材がリンクロッドに対してその長手方向に所定区間スライド可能に設けられ、リンクロッドにはロック部材を第二のアーム側に付勢するロック部材付勢手段が設けられている請求項３記載の閉扉順位調整装置。
【発明の詳細な説明】
【技術分野】
【０００１】
本発明は、観音開き式の左右一対の扉が閉扉順位に従って閉じるようにするための閉扉順位調整装置の改良に関するものである。
【背景技術】
【０００２】
この種の閉扉順位調整装置としては下記特許文献１，２のようなものが提案されている。前者は、後閉まり側の扉に当接する第２のレバーを突出位置にロックする当たり金具を設けたものであって、先閉まり側の扉に当接する第１のレバーが扉枠側に戻ると連結杆が第１のレバー側に移動して前記当たり金具を回動可能なフリー状態とするものである。そして、当たり金具が回動可能なフリー状態となると、当たり金具による第２のレバーのロックが解除されるため、バネによって突出側に付勢された第２のレバーは後閉まり側の扉に押されながら扉枠へと戻ることとなる。
【０００３】
また、後者は、先閉まり側の扉に当接する第１のアームと後閉まり側の扉に当接する第２のアームとをリンクロッドで連結して両アームが同一方向に連動して揺動する構成であって、第１のアームよりも第２のアームを後閉まり側の扉と大きな角度で当接させることで、後閉まり側の扉が先に閉じることのないようにしたものである。
【０００４】
【特許文献１】特許第３４１４７０６号公報
【特許文献２】特公平６−２７４４８号公報
【発明の開示】
【発明が解決しようとする課題】
【０００５】
しかしながら、前者は、先閉まり側の扉を閉めた状態で後閉まり側の扉のみを開閉させる場合、第２のレバーがバネで付勢されて常に突出位置に位置しているため、後閉まり側の扉を閉じる度に該扉が第２のレバーに当接して衝突音が発生することになる。更に、後閉まり側の扉が第２のレバーに当接しながら開閉動作することになるので両者が接触することによる接触音も発生することになると同時に扉にも傷が生じやすくなる。しかも、扉枠から第２のレバーが大きく前方に突出しているので第２のレバーが目立って美観も損なわれる。その一方、後者は、先閉まり側の扉を閉めた状態とすれば第２のアームも扉枠側に戻るので、前者のような衝突音や接触音の発生あるいは扉の傷つきという問題もなく美観も良好となるものの、扉の幅寸法が異なるとそれに合わせて両アームの角度調整が必要になるという問題がある。
【０００６】
そこで本発明は、扉の幅寸法が異なってもアームの角度調整が不要であって且つ、先閉まり側の扉を閉めた状態で後閉まり側の扉のみを開閉させた場合に、衝突音や接触音及び扉の傷つきを抑制して良好な外観も得られる閉扉順位調整装置を提供することを課題とする。
【課題を解決するための手段】
【０００７】
本発明は、上記課題を解決すべくなされたものであり、本発明に係る閉扉順位調整装置は、扉枠に取り付けられて、上下方向の軸線周りに回動すると共に閉扉方向に付勢された観音開き式扉の閉扉順位を調整する閉扉順位調整装置において、先閉まり側の扉の後面に当接できるように上下方向の軸線まわりに揺動可能に設けられ、扉枠から所定角度前方に回動した突出位置と扉枠側に戻った戻り位置との間を揺動する第一のアームと、後閉まり側の扉の後面に当接できるように上下方向の軸線まわりに揺動可能に設けられ、扉枠から所定角度前方に回動した突出位置と扉枠側に戻った戻り位置との間を揺動する第二のアームと、第一のアームと第二のアームが連動して同じ方向に揺動するように両アームを連結するリンクロッドと、前記第一のアームを直接的又は間接的に突出側に付勢するアーム付勢手段と、第二のアームに当接して該第二のアームを突出位置にロックするロック部材とを備え、第一のアームが突出位置から戻り位置に戻る動作と連動してロック部材が第二のアームから離間して第二のアームのロックを解除するように構成されていることを特徴とする。
【０００８】
該構成の閉扉順位調整装置にあっては、第一のアームと第二のアームがリンクロッドで連結されて両アームが同一方向に揺動するので、先閉まり側の扉が閉じると第一のアームと共に第二のアームも扉枠側に戻ることになる。従って、先閉まり側の扉が閉じた状態で後閉まり側の扉のみが開閉できるように設定した場合、第二のアームは戻り位置にあって扉枠から大きく前方に突出していないのでそれが外部から目立つということがない。また、第二のアームが突出位置には位置していないので、後閉まり側の扉を閉じる場合に第二のアームに後閉まり側の扉が当接しながら閉じていくということがない。しかも、先閉まり側の扉が開いた状態では第一のアームと共に第二のアームも突出位置となり、ロック部材が第二のアームに当接してそれを突出位置にロックする。従って、仮に後閉まり側の扉が先に閉扉しようとしても突出位置にロックされた第二のアームによってその閉扉が阻止される。そして、先閉まり側の扉が第一のアームを押して閉扉すると、ロック部材がそれと連動して第二のアームから離間して第二のアームのロックを解除するので、第二のアームは突出位置から戻り位置へ揺動する。
【０００９】
ここで、例えば、第一のアームが突出位置から戻り位置に戻ったことをセンサで検出してそのセンサからの出力によってロック部材が第二のアームのロックを解除するようにすることもでき、更に、その場合においてロック部材を移動可能に構成すると共に該ロック部材を駆動する駆動手段を設けて、駆動手段がセンサからの出力によってロック部材を第二のアームから離間させるように構成することもできる。このように、第一のアームの揺動動作にロック部材を連動させる構成は種々のものが採用可能であるが、特に、ロック部材がリンクに装着されてリンクと共に移動することにより、第一のアームが突出位置に位置するとロック部材は第二のアームをロックするロック位置となり且つ第一のアームが戻り位置に戻るとロック部材は第二のアームのロックを解除するロック解除位置となることが好ましい。このようにロック部材がリンクロッドに装着された構成とすれば、リンクロッドと共にロック部材を移動させることができてロック部材を駆動させるための別途の駆動手段が不要となるうえに、ロック部材を第一のアームと連動させることも容易となり、構造を簡素化することができるという利点がある。
【００１０】
また、第二のアームには被係止部が設けられ、ロック部材の第二のアーム側には第二のアームをロックするために前記被係止部を係止する係止部が設けられていることが好ましい。ロック部材による第二のアームのロック構成も種々の態様があるが、係止構造とすることにより確実なロック状態が得られる。
【００１１】
またその場合に、第二のアームとリンクロッドの回動連結箇所において、第二のアームとリンクロッドの一方にはリンクロッドの長手方向に伸びる長孔が設けられ他方には該長孔内を移動可能な突起が設けられていることが好ましい。閉扉時に第一のアームが突出位置から戻り位置へと揺動を開始した際に、リンクロッドと共にロック部材も第一のアーム側へ移動するが、長孔の長さ分だけロック部材が第二のアームに対して第一のアーム側に相対移動する。このようにロック部材が先に第一のアーム側に移動するようにすることで、ロック部材の係止部と第二のアームの被係止部との係止状態がスムーズに解除されて第二のアームもスムーズに戻り位置へと回動していくことができる。
【００１２】
また、ロック部材がリンクロッドに対してその長手方向に所定区間スライド可能に設けられ、リンクロッドにはロック部材を第二のアーム側に付勢するロック部材付勢手段が設けられていることが好ましい。閉扉状態から両扉を開いていく際には、閉扉動作とは逆に第二のアームが前方に向かって回動すると同時に、リンクロッドに装着されたロック部材はリンクロッドと共に第二のアーム側に向かって移動する。その際、仮に第二のアーム側に移動するロック部材と前方に回動する第二のアームとが当たって両者が干渉した場合には、ロック部材付勢手段の付勢力に抗して第二のアームがロック部材を押してロック部材を第一のアーム側にスライド移動させるので、第二のアームはロック部材を回避しつつ前方へと回動して突出位置となる。そして、ロック部材はロック部材付勢手段による付勢力によってリンクロッドに対して第二のアーム側に相対移動して元の位置に戻ると共に、リンクロッドと共に第二のアーム側へ移動して、その係止部が第二のアームの被係止部を係止する状態となる。このように、ロック部材がリンクロッドに対してその長手方向に相対移動可能に装着されているので開扉動作において第二のアームがスムーズに前方に回動することができる。しかも、ロック部材付勢手段がロック部材を第二のアーム側に付勢しているので、ロック部材の係止部と第二のアームの被係止部との係止状態が確実に維持される。
【発明の効果】
【００１３】
以上のように、両アームがリンクロッドで連結されて同じ方向に揺動するので、第一のアームが扉枠側に戻ることで第二のアームも自動的に戻り、従って、後閉まり側の扉のみを開けた場合に、第二のアームが前方に大きく突出せずに美観を損ねるということがない。しかも、後閉まり側の扉のみを開閉させても第二のアームとの衝突音や接触音を抑制でき、扉の傷つきも抑制できる。更には、ロック部材で第二のアームを突出位置にロックするので扉の幅寸法が変わっても両アームを角度調整する必要もなく取り付け作業性に優れる。
【発明を実施するための最良の形態】
【００１４】
以下、本発明に係る閉扉順位調整装置の一実施形態について図１乃至図７を参酌しつつ説明する。
図１乃至図５に本実施形態における開扉順位調整装置を示しており、該装置は、上枠１００（扉枠）に取り付けられるベース１と、該ベース１に上下方向の軸線まわりに揺動可能に支持される第一のアーム２及び第二のアーム３と、両アーム２，３が連動して同じ方向に揺動するように両アーム２，３を連結するリンクロッド４とを備えている。
【００１５】
前記ベース１は、全体として角筒状であってその前面には左右一対の開口部１ａが形成されている。該ベース１の各開口部１ａの内側位置に上下方向に伸びる支軸５がそれぞれ取り付けられ、該支軸５にそれぞれ第一のアーム２と第二のアーム３が回動可能に支持されており、従って、両アーム２，３が前方に回動するとその先端部側は各開口部１ａから前方に突出する。このように、両アーム２，３は上枠１００に沿って左右に所定距離離間して配置されており、第一のアーム２は先閉まり側の扉１０１の後方に位置してその後面に当接し、第二のアーム３は召合わせ１０２ａを備えた後閉まり側の扉１０２の後方に位置してその後面に当接する。そして、両アーム２，３共に、ベース１内（上枠１００内）に収納された戻り位置（図２）とそこから所定角度前方に回動した突出位置（図１）との間を揺動する。
【００１６】
第一のアーム２は、支軸５から二方向に伸びた二本の腕部を有して全体として平面視Ｌ字状に形成され、突出位置において、第一腕部２１はその先端部が上枠１００から前方に突出するが、第二腕部２２は上枠１００内に位置する。具体的には、第一のアーム２は、上下方向に互いに所定間隔離間して平行に配置された上下一対の主部２４と該主部２４同士を上下に連結する連結部２５とから構成されたアーム本体２３を備えており、該アーム本体２３は、例えば、板金を断面視コの字状に折曲形成することにより上下両主部２４と連結部２５とが一体的に形成されている。そして、第一腕部２１の先端部（即ち第一のアーム２の先端部）には先閉まり側の扉１０１の後面に当接する当接部としてローラ２６が設けられており、該ローラ２６は両主部２４間に上下方向に設けられたローラ支軸２７に回転可能に支持されている。尚、第一のアーム２はバネ２８（アーム付勢手段）によりローラ２６がベース１から突出する方向に付勢されている。
【００１７】
また、第二のアーム３は、図３のように支軸５から三方向に伸びた三本の腕部を有する全体として平面視Ｙ字状に形成されている。具体的には、前記第一のアーム２におけるアーム本体２３と同一形状のアーム本体２３を備えて該アーム本体２３から二本の腕部即ち第一腕部２１と第二腕部２２が構成され、残る一本の腕部即ち第三腕部２９は別部材から構成されている。但し、三本の腕部を一つの部材から構成することも可能である。尚、第二のアーム３の突出位置において第三腕部２９は上枠１００内に位置する。また、本実施形態においては、図４のようにアーム本体２３の両主部２４間に被係止部材３０が取り付けられ、アーム本体２３から突出する被係止部材３０の一部が第三腕部２９となっており、また、該第三腕部２９が被係止部として構成されている。該第三腕部２９は、図３に示すような第二のアーム３の突出位置において、第一のアーム２側に向かって伸びていてその前面２９ａは第一のアーム２側ほど後方となる傾斜面となっている。尚、第一腕部２１の先端部（即ち第二のアーム３の先端部）には後閉まり側の扉１０２の後面に当接する当接部としてローラ２６が設けられており、該ローラ２６は両主部２４間に上下方向に設けられたローラ支軸２７に回転可能に支持されている。
【００１８】
そして、両アーム２，３の互いの第二腕部２２同士が前記リンクロッド４で連結されている。即ち、リンクロッド４の一端部は第一のアーム２の第二腕部２２に回動可能に連結され、リンクロッド４の他端部は第二のアーム３の第二腕部２２に回動可能に連結されており、従って、両アーム２，３はリンクロッド４によって同じ方向に連動して揺動する。かかるリンクロッド４は、上枠１００に沿って伸びる棒状であるが、図４及び図５のように、両アーム２，３それぞれの両主部２４間に位置すると共に、両主部２４間に設けられた上下方向のリンク支軸３１により回動可能に支持されている。そして、第一のアーム２とリンクロッド４との回動連結箇所であるリンクロッド４の一端部には丸孔が形成される一方、第二のアーム３とリンクロッド４との回動連結箇所であるリンクロッド４の他端部にはリンクロッド４の長手方向に伸びる長孔４０が形成され、該長孔４０内を第二のアーム３のリンク支軸３１（突起）が係合しつつ相対的に移動することができるようになっている。
【００１９】
また、リンクロッド４には、第一のアーム２と第二のアーム３との間であって且つ第二のアーム３の近傍位置に、第二のアーム３を突出位置にロックするためのロック部材５０が装着されている。該ロック部材５０の前部領域には第二のアーム３側に向かって伸びる係止部としての係止突起５１が突設されている。該係止突起５１は、前記第二のアーム３の第三腕部２９の前側に位置して該第三腕部２９の前面２９ａに当接し、それによって第二のアーム３は突出位置にロックされる。尚、係止突起５１の後面５１ａは、第二のアーム３の第三腕部２９の前面２９ａに対応して、第一のアーム２側ほど後方となる傾斜面となっている。
【００２０】
また、ロック部材５０は、平面視略矩形のブロック体であってその後部領域をリンクロッド４が上枠１００に沿って左右に貫通している。尚、ロック部材５０の後部領域は後方に開口するスリットが左右方向の全長に亘って形成されていてそのスリット内にリンクロッド４が位置している。また、図５のようにロック部材５０の後部領域には上下方向に伸びるロック支軸５２（突起）が左右一対設けられ、該ロック支軸５２に対応してリンクロッド４にはその長手方向に伸びると共に上下に貫通した長孔５３が左右一対形成されていて、該長孔５３をロック支軸５２が貫通している。従って、長孔５３にはロック支軸５２が係合した状態にあって且つその長孔５３内をロック支軸５２がリンクロッド４の長手方向に移動できる。即ち、ロック部材５０はこの長孔５３のストローク分だけリンクロッド４に対して所定区間その長手方向に沿って相対的にスライド移動できる。また、リンクロッド４には、ロック部材５０の第一のアーム２側にロック部材５０を第二のアーム３側に付勢するバネ５４（ロック部材付勢手段）が装着されており、該バネ５４がロック部材５０の第一のアーム２側の端面を第二のアーム３側に付勢することで、常時は、図３のようにロック支軸５２が長孔５３の第二のアーム３側の端部に位置している。
【００２１】
尚、ベース１には、両アーム２，３の突出位置においてロック部材５０の前面に当接してロック部材５０のそれ以上の前方への移動を阻止するストッパ６０と、リンクロッド４の他端部に当接することによってリンクロッド４の第二のアーム３側への移動を阻止して両アーム２，３が突出位置以上に前方に回動しないようにするためのストッパ６１も設けられている。
【００２２】
以上のように構成された閉扉順位調整装置は、図１に二点鎖線で示す上枠１００に取り付けられて使用されるが、第二のアーム３をロック部材５０によって突出位置にロックする構成であるので、扉の幅寸法を変更しても第二のアーム３で後閉まり側の扉１０２の先閉まりを阻止することができる。
【００２３】
そして、ドアクローザによって閉扉方向に付勢された両扉１０１，１０２が図１の状態から順に閉扉していくと、図１の状態から図６（イ）の状態を介して図６（ロ）の状態へと移り、最終的には図２のような全閉の状態となる。第一のアーム２が先閉まり側の扉１０１に押されて図１に示す突出位置から図２に示す戻り位置まで戻ると、リンクロッド４に装着されたロック部材５０は、第一のアーム２と連動して第一のアーム２側に移動して、図１に示すように第二のアーム３をロックするロック位置から図２に示すようなロック解除位置へと自動的に移動する。その際、リンクロッド４と第二のアーム３の回動連結箇所においてリンクロッド４に長孔４０が形成されているので、図６（イ）のように、リンクロッド４が第二のアーム３に対して相対的に第一のアーム２側に移動することができる。従って、リンクロッド４に装着されたロック部材５０も第二のアーム３に対して相対的に第一のアーム２側に移動することとなる。即ち、第二のアーム３の回動よりも先にロック部材５０が移動するので、ロック部材５０の係止突起５１と第二のアーム３の第三腕部２９との係止状態がスムーズに解除される。そして、その係止状態が解除されると、図６（ロ）のように再び第二のアーム３は後閉まり側の扉１０２に押されて上枠１００側に回動し、そのリンク支軸３１はリンクロッド４の長孔４０の第一のアーム２側の端部に位置する。
【００２４】
一方、図２のような全閉状態から両扉を開いていくと、図２の状態から図７（イ）の状態を介して図７（ロ）の状態へと移り、最終的には図１のように両アーム２，３が共に突出位置に位置する状態となり、それに伴ってロック部材５０も自動的にロック解除位置からロック位置へと復帰する。その際、リンクロッド４に対してロック部材５０が所定区間相対移動できる構成であるので、図７（イ）のように、第二のアーム３の第三腕部２９とロック部材５０の係止突起５１とが当接すると、ロック部材５０は第三腕部２９に押されてバネ５４の付勢力に抗してリンクロッド４に対して第一のアーム２側に相対移動する。従って、第二のアーム３の第三腕部２９はロック部材５０の係止突起５１を回避しながら後方へとスムーズに回動して、図１に示すようにロック部材５０は、その係止突起５１が第二のアーム３の第三腕部２９の前方に位置するロック位置となる。
【００２５】
また、先閉まり側の扉１０１を閉じた状態で後閉まり側の扉１０２のみを開閉させることもあるが、その場合、第二のアーム３が戻り位置にあってベース１内に位置しているので、その第二のアーム３が外部から目立つことがなく優れた美観が得られると共に、開閉動作に伴って第二のアーム３に後閉まり側の扉１０２が衝突して大きな衝突音が生じたり接触音が生じたりということがなく、また、扉１０２の後面の傷つきも防止される。
【００２６】
しかも、ロック部材５０がリンクロッド４に装着されているので、ロック部材５０をロック位置とロック解除位置とに移動させるための別途の駆動手段も不要であり装置を簡素化することができる。更には、第二のアーム３に対してリンクロッド４が相対移動でき、また、リンクロッド４に対してロック部材５０が相対移動できるので、扉の開閉に伴って第二のアーム３が揺動する際に、ロック部材５０の係止突起５１と第二のアーム３の第三腕部２９とがこじるようなこともなく、第二のアーム３は突出位置と戻り位置との間をスムーズに揺動でき、ロック部材５０もロック位置とロック解除位置との間をスムーズに移動できる。
【００２７】
尚、本実施形態では、リンクロッド４に長孔４０を設け、第二のアーム３にリンク支軸３１を設けたが、逆にリンクロッド４にリンク支軸３１を設け、第二のアーム３に長孔４０を設けてもよい。同様に、ロック部材５０に長孔５２を設けて、リンクロッド４にロック支軸５２を設けてもよい。また、ロック部材５０がリンクロッド４に対して所定区間スライド可能となる構成として、例えば、ロック部材５０に上枠１００に沿った貫通孔を形成し、その貫通孔をリンクロッド４が挿通する構成とすることでスライド可能とすることもでき、その他、種々の構成が採用可能である。
【００２８】
また、ロック部材５０が第二のアーム３をロックする構成も係止構成以外の種々の構成が採用可能であり、磁気的あるいは電気的なロック構造であってもよい。
【００２９】
更に、ベース１も上述したような角筒状の他、板状やブロック状としてもよく、ベース１自体を省略して両アーム２，３等を上枠１００に直接取り付けてもよい。
【００３０】
また、第一のアーム２をバネ２８で直接付勢しているが、例えばリンクロッド４をバネで第二のアーム３側に付勢することによって第一のアーム２を間接的に突出側に付勢してもよい。
【図面の簡単な説明】
【００３１】
【図１】本発明の一実施形態における閉扉順位調整装置の取り付け状態を示す開扉状態の平面図。
【図２】同閉扉順位調整装置の取り付け状態を示す閉扉状態の平面図。
【図３】同閉扉順位調整装置の要部拡大図。
【図４】図２のＰ−Ｐ線断面図。
【図５】図２のＱ−Ｑ線断面図。
【図６】同閉扉順位調整装置の使用状態を示す平面図であって、（イ）は図１の状態から扉を所定角度閉じた状態、（ロ）は（イ）から更に扉を閉じた状態をそれぞれ示す。
【図７】同閉扉順位調整装置の使用状態を示す平面図であって、（イ）は図２の状態から扉を所定角度開いた状態、（ロ）は（イ）から更に扉を開いた状態をそれぞれ示す。
【符号の説明】
【００３２】
１…ベース、１ａ…開口部、２…第一のアーム、３…第二のアーム、４…リンクロッド、５…支軸、２１…第一腕部、２２…第二腕部、２３…アーム本体、２４…主部、２５…連結部、２６…ローラ、２７…ローラ支軸、２８…バネ（アーム付勢手段）、２９…第三腕部（被係止部）、２９ａ…前面、３０…被係止部材、３１…リンク支軸（突起）、４０…長孔、５０…ロック部材、５１…係止突起（係止部）、５１ａ…後面、５２…ロック支軸（突起）、５３…長孔、５４…バネ（ロック部材付勢手段）、６０，６１…ストッパ、１００…上枠（扉枠）、１０１…先閉まり側の扉、１０２…後閉まり側の扉、１０２ａ…召合わせ
【図１】
2009167619.tif 000003
【図２】
2009167619.tif 000004
【図３】
2009167619.tif 000005
【図４】
2009167619.tif 000006
【図５】
2009167619.tif 000007
【図６】
2009167619.tif 000008
【図７】
2009167619.tif 000009